(57)【要約】【課題】ある階に乗りかごが着床して停止した際に、その乗りかごのドア開閉状況つまり乗客が乗り降りしていることを他の階のエレベータホールに表示して他の階で乗りかごの到着を待つ乗客に対するサービス性を高めることができるエレベータ装置を提供する。【解決手段】各階のエレベータホール１の乗降口２に設けられたホールドア３及び乗りかご１１の出入口１２に設けられたかごドア１３と、各ホールドア３の開閉を検出するホールドアスイッチ４及びかごドア１３の開閉を検出するかごドアスイッチ１４と、各エレベータホール１に設けられたドア開閉表示部２２とを具備し、乗りかご１１が一つの階のエレベータホール１に着床してその階のエレベータホール１のホールドア３及びかごドア１３が開いたときに、ホールドアスイッチ４及びかごドアスイッチ１４が出力する信号に基づいて制御盤２７による制御で各階のエレベータホール１のドア開閉表示部２２に前記ドアの開きの情報を表示させる。【選択図】      図１
2008174354.tif 000002
【特許請求の範囲】
【請求項１】
各階のエレベータホールの乗降口に設けられたホールドア及び昇降路内を昇降する乗りかごの出入口に設けられたかごドアと、
前記各ホールドアの開閉を検出するホールドアスイッチ及び前記かごドアの開閉を検出するかごドアスイッチと、
各階のエレベータホールに設けられたドア開閉表示部と、
前記乗りかごが一つの階のエレベータホールに着床してその階のエレベータホールのホールドア及びかごドアが開いたときに、前記ホールドアスイッチ及びかごドアスイッチが出力する信号に基づいて各階のエレベータホールのドア開閉表示部に前記ドアの開きの情報を表示させる制御手段と、
を具備することを特徴とするエレベータ装置。
【請求項２】
前記ドア開閉表示部は、エレベータホールのホール操作盤に設けられていることを特徴とする請求項１に記載のエレベータ装置。
【請求項３】
前記ホール操作盤は、昇降路内を昇降する乗りかごの位置を表示するかご位置表示灯を備え、前記ドア開閉表示部がそのかご位置表示灯と並んで設けられていることを特徴とする請求項２に記載のエレベータ装置。
【発明の詳細な説明】
【技術分野】
【０００１】
この発明は、建屋の各階のエレベータホールにおいて、他の階に着床した乗りかごのドア開閉状況を表示することが可能なエレベータ装置に関する。
【背景技術】
【０００２】
一般に建屋のエレベータホールには、ホールランタンなどを用いて乗りかごの移動状況やそのエレベータホールでのドアの開閉状況などを表示する表示手段が設けられている。このような表示手段については例えば特開平６−１１５８３８号公報に開示されている。
【特許文献１】特開平６−１１５８３８号公報
【発明の開示】
【発明が解決しようとする課題】
【０００３】
しかしながら従来の表示手段では、乗りかごが現在どの階で移動しているのかは分かるが、その乗りかごがある階に着床して停止が長引き、乗客が待つ階のエレベータホールになかなか到着しないときに、なぜ乗りかごが移動を開始しないのかがわからず、苛立ちを募らせてしまうことが多い。この際、他の階に停止する乗りかごがなぜ移動を開始しないのかその理由がわかれば苛立つこともなくなる。
【０００４】
この発明はこのような点に着目してなされたもので、その目的とするところは、ある階に乗りかごが着床して停止した際に、その乗りかごのドア開閉状況つまり乗客が乗り降りしていることを他の階のエレベータホールに表示して他の階で乗りかごの到着を待つ乗客に対するサービス性を高めることができるエレベータ装置を提供することにある。
【課題を解決するための手段】
【０００５】
請求項１の発明は、各階のエレベータホールの乗降口に設けられたホールドア及び昇降路内を昇降する乗りかごの出入口に設けられたかごドアと、前記各ホールドアの開閉を検出するホールドアスイッチ及び前記かごドアの開閉を検出するかごドアスイッチと、各階のエレベータホールに設けられたドア開閉表示部と、前記乗りかごが一つの階のエレベータホールに着床してその階のエレベータホールのホールドア及びかごドアが開いたときに、前記ホールドアスイッチ及びかごドアスイッチが出力する信号に基づいて各階のエレベータホールのドア開閉表示部に前記ドアの開きの情報を表示させる制御手段とを具備することを特徴としている。
【０００６】
請求項２の発明は、前記ドア開閉表示部が、エレベータホールのホール操作盤に設けられていることを特徴としている。
【０００７】
請求項３の発明は、前記ホール操作盤が、昇降路内を昇降する乗りかごの位置を表示するかご位置表示灯を備え、前記ドア開閉表示部がそのかご位置表示灯と並んで設けられていることを特徴としている。
【発明の効果】
【０００８】
この発明によれば、ある階に乗りかごが着床して停止した際に、その乗りかごのドア開閉状況つまり乗客が乗り降りしていることを他の階のエレベータホールに知らせて他の階で乗りかごの到着を待つ乗客に対するサービス性を高めることができる。
【発明を実施するための最良の形態】
【０００９】
以下、この発明の一実施形態について図面を参照して説明する。
【００１０】
図１にはエレベータ装置の構成を示してあり、建屋の各階のエレベータホール１には乗降口２が設けられ、この乗降口２にその開閉用のホールドア３が設けられている。このホールドア３は例えば一対のドアパネル３ａ，３ｂを備え、これら一対のドアパネル３ａ，３ｂが左右に移動することで乗降口２を開閉する両開き式構造となっている。そして乗降口２にホールドア３の開閉を検出するホールドアスイッチ４が設けられている。このホールドアスイッチ４は、ホールドア３が戸閉状態にあるときにオンし、戸開するとオフする。
【００１１】
乗降口２はその奥方側の昇降路１０に通じており、この昇降路１０内に乗りかご１１が吊下げられている。乗りかご１１は前面に出入口１２を有し、この出入口１２にかごドア１３が設けられている。このかごドア１３は、ホールドア３と同様にドアパネル１３ａ，１３ｂを備え、これら一対のドアパネル１３ａ，１３ｂが左右に移動することで出入口１２を開閉する両開き式構造となっている。そして出入口１２にかごドア１３の開閉を検出するかごドアスイッチ１４が設けられている。このかごドアスイッチ１４は、かごドア１３が戸閉状態にあるときにオンし、戸開するとオフする。
【００１２】
各階のエレベータホール１における乗降口２の脇にはそれぞれホール操作盤１８が設けられている。これらホール操作盤１８は、図２に示すように、フェースプレート１９を備え、このフェースプレート１９に乗りかご１１の移動階位置を表示するかご位置表示灯２０や乗りかご１１の呼びの登録を行なうためのかご呼びボタン２１などと共にドア開閉表示部２２が設けられている。ドア開閉表示部２２は、例えばエレベータの戸開状態を表わすイラストが描かれた透光性の表示パネル２３と、この表示パネル２３の裏面側に配設されたＬＥＤなどの光源２４とで構成され、前記かご位置表示灯２０と並んで設置されている。
【００１３】
昇降路１０内あるいは昇降路１０の上部の機械室内には、エレベータの運行などを制御する制御手段としての制御盤２７が設けられている。そしてこの制御盤２７に図３に示すように、ホールドアスイッチ４、かごドアスイッチ１４、ドア開閉表示部２２の光源２４などが接続されている。
【００１４】
次に作用について、図４に示すフローチャートを参照して説明する。
【００１５】
エレベータの運行中において、あるＡ階のエレベータホール１でかご呼びボタン２１を操作してかご呼びを登録すると、乗りかご１１がそのＡ階に向かって移動する。この際、乗りかご１１がＡ階に到着する前に、乗りかご１１が他のＢ階で着床して停止したとする（Ｓ１）。乗りかご１１がＢ階に着床したときには、各階のホール操作盤１８のかご位置表示灯２０にＢ階を表わす階数字が表示される。
【００１６】
Ｂ階での着床に応じて乗りかご１１のかごドア１３及びこのかごドア１３に連動してＢ階のホールドア３が開く（Ｓ２）。次に、かごドア１３の戸開に応じてかごドアスイッチ１４がオンからオフに切り換わったか否かが判断され（Ｓ３）、オンからオフに切り換わったときには、さらにＢ階のホールドアスイッチ４がオンからオフに切り換わったか否かが判断され（Ｓ４）。そしてかごドアスイッチ１４及びホールドアスイッチ４が共にオフのときにその信号に基づいて制御盤２７から戸開確認信号が出力され（Ｓ５）、この戸開確認信号により各階のドア開閉表示部２２の光源２４が点灯され、そのドア開閉表示部２２にＢ階でドアが開いていることが表示される（Ｓ６）。
【００１７】
この後、Ｂ階で停止している乗りかご１１のかごドア１３及びホールドア３が閉じる（Ｓ７）。次に、かごドア１３の戸閉に応じてかごドアスイッチ１４がオフからオンに切り換わったか否かが判断され（Ｓ８）、オフからオンに切り換わったときには、さらにＢ階のホールドアスイッチ４がオフからオンに切り換わったか否かが判断され（Ｓ９）。そしてかごドアスイッチ１４及びホールドアスイッチ４が共にオンのときにその信号に基づいて制御盤２７からの戸開確認信号の出力が停止し（Ｓ１０）、各階のドア開閉表示部２２の光源２４が消灯してそのドア開閉表示部２２のドア開の表示が消える（Ｓ１１）。
【００１８】
次に、Ｂ階の乗りかご１１がＡ階に向かって移動する（Ｓ１２）。そして乗りかご１１がＡ階で停止し（Ｓ１３）、かごドア１３及びＡ階のホールドア３が連動して開く（Ｓ１４）。そして、かごドア１３の戸開に応じてかごドアスイッチ１４がオンからオフに切り換わったか否かが判断され（Ｓ１５）、オンからオフに切り換わったときには、さらにＡ階のホールドアスイッチ４がオンからオフに切り換わったか否かが判断される（Ｓ１６）。かごドアスイッチ１４及びホールドアスイッチ４が共にオフのときにその信号に基づいて制御盤２７から戸開確認信号が出力され（Ｓ１７）、この戸開確認信号により各階のドア開閉表示部２２の光源２４が点灯してそのドア開閉表示部２２によりＡ階でのドアの開きが表示される（Ｓ１８）。
【００１９】
ホールドア３及びかごドア１３の戸開に応じてＡ階の乗客は乗りかご１１内に乗り込む。乗り込みが完了し、ホールドア３及びかごドア１３が戸閉（Ｓ１９）した後には、かごドアスイッチ１４がオフからオンに切り換わったか否かが判断され（Ｓ２０）、さらにＡ階のホールドアスイッチ４がオフからオンに切り換わったか否かが判断される（Ｓ２１）。そしてその切り換わりが確認されたときにその信号に基づいて制御盤２７からの戸開確認信号の出力が停止し（Ｓ２２）、各階のドア開閉表示部２２のドア開の表示が消える（Ｓ２３）。そして乗りかご１１が目的階に向かって移動する（Ｓ２４）。
【００２０】
このように、ある階で乗りかご１１の到着を待つときに、他の階で乗りかご１１が停止してドアが開き、乗客が乗り降りしているときには、その状況がドア開閉表示部２２に表示される。したがって乗りかご１１の到着を待つ乗客は、他の階で乗りかご１１が停止している理由を知ることができ、このため苛立つことなく乗りかご１１の到着を待つことができ、サービス性が向上する。
【００２１】
また、他の階で乗りかご１１のかごドア１３が開きっぱなしになっているような場合、例えばかごドア１３の開延長ボタンをいたずらなどで押し続けていたり、あるいはかごドア１３のドアパネル１３ａ，１３ｂをガイドするシルが塵などで詰まり、ドアパネル１３ａ，１３ｂが完全に閉じ合わず、かごドアスイッチ１４がオンしないような場合に、その不自然な状況を乗りかご１１の到着を待つ階の乗客がドア開閉表示部２２の表示で知ることができる。そしてこの場合、その不自然な状況が発生していることを、乗りかご１１の到着を待つ階の乗客がエレベータの管理者などに通報してその対処を図ることが可能となる。
【００２２】
さらに、ホールドア３のドアパネル３ａ，３ｂをガイドするシルや、かごドア１３のドアパネル１３ａ，１３ｂをガイドするシルが塵などで詰まり、見た目にはホールドア３やかごドア１３が閉じてもホールドアスイッチ４やかごドアスイッチ１４がオンとならない場合がある。このときにはドア開閉表示部２２の点灯は消えず、ドア開が表示されたままとなる。
【００２３】
この場合、そのエレベータホールの乗客は、ホールドア３が見た目で閉じているにも関わらずドア開閉表示部２２にドア開が表示されているという不自然さに気づき、エレベータの管理者にその旨を通報することになる。これに基づき、エレベータの管理者がシルを点検し、ホールドア３やかごドア１３が確実に閉じ合うように調整する対処をとってエレベータを速やかに修復することが可能となる。
【００２４】
なお、前記実施形態では、ホールドア及びかごドアをそれぞれ一対のドアパネルを用いる両開き式のものとしたが、複数のドアパネルを同じ方向に異なる速度で移動させる多段片開き式のものや１枚のドアパネルのみを移動させる片開き式のものであってもよい。
【００２５】
また、ドア開閉表示部は、ホール操作盤に設ける場合に限らず、エレベータホールの壁面にホールドアと並ぶように設けるような場合であってもよい。
【図面の簡単な説明】
【００２６】
【図１】この発明の一実施形態に係るエレベータのシステムを示す説明図。
【図２】そのエレベータのホール操作盤を示す正面図。
【図３】そのエレベータの電気回路の構成を示すブロック図。
【図４Ａ】そのエレベータの作用の前半の流れを示すフローチャート。
【図４Ｂ】そのエレベータの作用の後半の流れを示すフローチャート。
【符号の説明】
【００２７】
１…エレベータホール
２…乗降口
３…ホールドア
４…ホールドアスイッチ
１０…昇降路
１１…乗りかご
１２…出入口
１３…かごドア
１４…かごドアスイッチ
１８…ホール操作盤
２０…かご位置表示灯
２１…かご呼びボタン
２２…ドア開閉表示部
２３…表示パネル
２４…光源
２７…制御盤
【図１】
2008174354.tif 000003
【図２】
2008174354.tif 000004
【図３】
2008174354.tif 000005
【図４Ａ】
2008174354.tif 000006
【図４Ｂ】
2008174354.tif 000007